(57)【要約】【課題】突出したアンテナ構造を設けることなく電波式リモコンの受信感度を向上させることができる照明装置を提供する。【解決手段】照明装置１０は、天井施工面に直接取り付けられる器具本体１１と、器具本体１１に取り付けられるランプ１２と、ランプ１２を覆って器具本体１１に設けられた受け具１４に取り付けられる非金属製のグローブ１３と、受け具１４に取り付けられて電波式リモコン信号を受信する電波受信用アンテナ１５とを備える。【選択図】図１
2011204557.tif 000002
【特許請求の範囲】
【請求項１】
天井施工面に直接取り付けられる器具本体と、
前記器具本体に取り付けられるランプと、
前記ランプを覆って前記器具本体に設けられた受け具に取り付けられる非金属製のグローブと、
前記受け具に取り付けられて電波式リモコン信号を受信する電波受信用アンテナとを備える照明装置。
【請求項２】
天井施工面に直接取り付けられる器具本体と、
前記器具本体に取り付けられるランプと、
前記ランプを覆って前記器具本体に取り付けられるグローブと、
前記グローブに取り付けられて電波式リモコン信号を受信する電波受信用アンテナとを備える照明装置。
【発明の詳細な説明】
【技術分野】
【０００１】
本発明は、電波式リモコン信号を受信して制御される照明装置に関する。
【背景技術】
【０００２】
従来より器具本体からアンテナを大きく離して配置した照明装置が知られている（例えば、特許文献１参照）。
【先行技術文献】
【特許文献】
【０００３】
【特許文献１】特開２００８−２０４９２２号公報（図１、段落番号００１５，００１６）
【発明の概要】
【発明が解決しようとする課題】
【０００４】
従来、リモコンにより操作される照明装置として赤外線式リモコンによるものがあった。このような照明装置においては、操作用のリモコン送信器のボタンが操作されると、ボタンの指示内容に応じた信号がリモコン送信器に搭載した赤外線ランプから送信される。そして、照明装置の器具本体に設けられている赤外線信号を受信する赤外線受光部によりリモコン送信器からの赤外線信号が受信され、解析して点灯回路が制御される。
【０００５】
このような照明装置に設置される赤外線受光部は、ランプの光に含まれる赤外波長をノイズとして受けるために本来の受信性能から感度が低下し、赤外光を含んだ光源を搭載する照明装置の内部に赤外線受光部を搭載することは信号／ノイズ比の向上において限界がある。そのため、ランプ光の入射による影響が少なく、かつ、外部の何れの方向からの赤外信号も受信できる場所を確保することが、器具本体の小型化および薄型化の制約となっている。例えば、ランプ光の影響の少ない器具本体の外側に赤外線受光部を搭載すれば解決するが、器具本体の外形が大きくなったり、意匠面での制約があったりする。また、リモコン送信器から送信される赤外線信号は一般に指向性が強く、送信器を赤外線受光部に直接向けて送信しないと信号が到達しない虞がある。
【０００６】
このような課題を解決するために、リモコン送信器の赤外線ランプの代わりに、アンテナから高周波信号を送信し、器具本体の受信部をアンテナに置き換えた電波式リモコンを搭載した照明装置が提案されている。このような従来の照明装置では、ランプ光がノイズとなって信号が受信し難いという課題は解決できる。つまり、器具本体は一般的に鉄板等の金属でできていて、受信用アンテナに対して遮蔽物となる虞があるが、電波受信用アンテナの一部または全部を、器具本体のランプよりも外周に配置する受信回路基板上に配置することにより受信性能を確保することができる。しかし、このような従来の照明装置において、アンテナを金属製の器具本体から大きく離せないため、満足できる受信感度を得ることができない。
【０００７】
上記特許文献１の照明装置は、線状のアンテナ素子を器具本体の設置方向に対して垂直な光照射方向に設置することで、器具本体の下方の各方面からの信号を安定して受信することができる。
しかし、上記特許文献１の照明装置では、アンテナ素子がグローブ内で棒状に突出するために、ランプからの光を遮って影となったり、ランプの交換時に突出したアンテナ素子が妨げとなってアンテナ素子を破損してしまったりする虞がある。
【０００８】
本発明は、前述した課題を解決するためになされたものであり、その目的は、突出したアンテナ構造を設けることなく電波式リモコンの受信感度を向上させることができる照明装置を提供することにある。
【課題を解決するための手段】
【０００９】
本発明に係る照明装置は、天井施工面に直接取り付けられる器具本体と、器具本体に取り付けられるランプと、ランプを覆って器具本体に設けられた受け具に取り付けられる非金属製のグローブと、受け具に取り付けられて電波式リモコン信号を受信する電波受信用アンテナとを備える。
【００１０】
本発明に係る照明装置は、天井施工面に直接取り付けられる器具本体と、器具本体に取り付けられるランプと、ランプを覆って器具本体に取り付けられるグローブと、グローブに取り付けられて電波式リモコン信号を受信する電波受信用アンテナとを備える。
【発明の効果】
【００１１】
本発明の照明装置によれば、突出したアンテナ構造を設けることなく、電波式リモコンの受信感度を向上させることができるという効果を奏する。
【図面の簡単な説明】
【００１２】
【図１】本発明に係る第１実施形態の照明装置の分解斜視図
【図２】図１の照明装置の底面図
【図３】図１の照明装置における受信アンテナを器具本体の直径方向から見た垂直断面図
【図４】図１の照明装置における受信アンテナを器具本体の外周側から見た垂直断面図
【図５】本発明に係る第２実施形態の照明装置の垂直断面図
【図６】図５の照明装置のグローブ周りの水平断面図
【図７】図５の照明装置における受信アンテナを器具本体の直径方向から見た垂直断面図
【図８】図５の照明装置における受信アンテナを器具本体の外周側から見た垂直断面図
【発明を実施するための形態】
【００１３】
以下、本発明の複数の実施形態に係る照明装置について図面を参照して説明する。
【００１４】
（第１実施形態）
本発明の第１実施形態である照明装置１０は、器具本体１１と、器具本体１１に取り付けられる円環形状のランプ１２と、ランプ１２を覆って器具本体１１に設けられた複数の受け具１４に取り付けられるグローブ１３と、受け具１４に設けられて電波式リモコン信号を受信する電波受信用アンテナ１５と、受信回路１６とを備えて、器具本体１１が天井施工面１に直接取り付けられる。
【００１５】
図１、図２に示すように、器具本体１１は、薄板鋼板材を用いて円板形状に形成されている。器具本体１１の中央部には取付ホルダ１８を装着させるためのホルダ孔１７が形成されている。取付ホルダ１８は天井施工面１に有する不図示の引掛金具に引掛けられることにより天井施工面１側の外部回路に電気的に接続される。そして、器具本体１１のホルダ孔１７が取付ホルダ１８に嵌合されることにより器具本体１１が取付ホルダ１８に支持されるとともに天井施工面１側の外部回路が器具本体１１の下面に取り付けられている不図示の点灯回路に電気的に接続される。器具本体１１の下面には、ランプ１２を取り付けるための複数のランプ支持バネ１９が設けられている。受け具１４は、垂直断面視Ｌ字形状に形成されており、器具本体１１の下面における外縁部において円周方向に配置されている。
【００１６】
グローブ１３は、例えば乳白色の樹脂製板部材により略半球形状に形成されており、上部の開放部分に円筒形状の器具本体取付部２０を有する。グローブ１３は器具本体取付部２０の内周面に略三角柱形状の複数の突出部２１を円周方向に等間隔に有する。グローブ１３は器具本体１１の下方側から、器具本体取付部２０を器具本体１１の受け具１４の外周部に挿し込んだ後に、予め定められた角度で回動されることにより突出部２１が受け具１４に嵌合されて器具本体１１に取り付けられる。
【００１７】
図３、図４に示すように、電波受信用アンテナ１５は、器具本体１１における複数の受け具１４のうちの１個の立ち上がり部２２に沿わせて取り付けられている。電波受信用アンテナ１５は器具本体１１の受け具１４の内周部に取り付けられている受信回路１６に給電部２３を通じて電気的に接続されている。電波受信用アンテナ１５は受け具１４の立ち上がり部２２に沿わせて取り付けられているために、金属製の器具本体１１から離れて配置される。電波受信用アンテナ１５は受け具１４の立ち上がり部２２から立ち上がってから水平方向に延出された水平延出部２４を有する。これにより、電波受信用アンテナ１５に水平受信部分ができるために床面に対する指向性の向上を図ることができる。
【００１８】
電波受信用アンテナ１５は、微弱電波を適用しているために、送信エネルギーが非常に小さく、赤外線リモコンよりも省エネである。また、電波は無指向で飛ぶため、受信部が近くにあればどこからでも操作が可能である。更に、電波は物を透過する能力が高いため、遮蔽物等があっても確実に操作を行うことができる。
【００１９】
電波受信用アンテナ１５は、器具本体１１の外縁部に配置されている受け具１４に配置されているとともに、器具本体１１から立ち上がって配置されているために、受信感度を高めることができる。また、電波受信用アンテナ１５は、受け具１４に沿って受け具１４に一体的に取り付けられているために、アンテナ長および形状を比較的自由に設計することができる。
【００２０】
従って、この第１実施形態の照明装置１０においては、電波受信用アンテナ１５が器具本体１１の外縁部の受け具１４に取り付けられた。
これにより、この第１実施形態の照明装置１０においては、受け具１４に取り付けられた電波受信用アンテナ１５により、電波信号の受信感度を高めることができるとともにランプ１２の光を遮ることがなく、ランプ交換時の妨げとなることがない。
【００２１】
（第２実施形態）
次に、本発明の第２実施形態の照明装置について説明する。なお、以下の第２実施形態において、上述した第１実施形態と重複する構成要素や機能的に同様な構成要素については、図中に同一符号あるいは相当符号を付することによって説明を簡略化あるいは省略する。
【００２２】
図５、図６に示すように、本発明の第２実施形態の照明装置３０は、グローブ１３の器具本体取付部２０を含む内周面に電波受信用アンテナ３１を取り付けている。電波受信用アンテナ３１は、細い導体をグローブ１３の内周部にプリント或いは貼り付けることによりグローブ１３の内周面に沿って配置され、金属製の器具本体１１から離れて配置されている。
【００２３】
図７、図８に示すように、電波受信用アンテナ３１は、グローブ１３の器具本体取付部２０が器具本体１１の受け具１４の外周部に挿し込まれてから回動されることにより、突出部２１が受け具１４に嵌合された位置で器具本体１１からの給電部２３に、例えば端子等を通じて電気的に接触されるようになっている。そのため、電波受信用アンテナ３１はグローブ１３と一体に形成することができる。グローブ１３は滑らかな半球面形状を有するために、アンテナ長および形状を自由に設計できるために受信感度の向上を図ることができる。
【００２４】
従って、この第２実施形態の照明装置３０においては、電波受信用アンテナ３１がグローブ１３に取り付けられた。
これにより、この第２実施形態の照明装置３０においては、グローブ１３に取り付けられた電波受信用アンテナ３１により、電波信号の受信感度を高めることができる。
【００２５】
なお、各実施形態で使用した器具本体１１、ランプ１２、グローブ１３等は例示したものに限定するものではなく適宜変更が可能である。
【符号の説明】
【００２６】
１  天井施工面
１０、３０  照明装置
１１  器具本体
１２  ランプ
１３  グローブ
１４  受け具
１５、３１  電波受信用アンテナ
【図１】
2011204557.tif 000003
【図２】
2011204557.tif 000004
【図３】
2011204557.tif 000005
【図４】
2011204557.tif 000006
【図５】
2011204557.tif 000007
【図６】
2011204557.tif 000008
【図７】
2011204557.tif 000009
【図８】
2011204557.tif 000010